(57)【要約】    【課題】  画像読取設定に応じて紙葉類面上の凹凸情報を画像情報として読み取るか否かを選択することができる画像読取装置を提供する。    【解決手段】  スキャナ装置１は、紙葉類を搬送するための搬送路３を備え、この搬送路３には、紙葉類９０の到達を検出するレジストセンサ５と、紙葉類９０の搬送方向に対して垂直に配置され、紙葉類９０の画像を読み取る画像読取ユニット６とが設けられている。画像読取ユニット６は、紙葉類９０に光を照射する第１の照射部１０１ａと、紙葉類９０から反射された光を受光する受光部１００と、受光部１００に関して第１の照射部１０１ａと対向側に配され、第１の照射部１０１ａによる紙葉類９０上の照射領域に光を照射する第２の照射部１０１ｂと、第２の照射部１０１ｂが光を照射するか否かを選択する選択部２０３を備える。【選択図】      図２
2005078335.tif 000002
【特許請求の範囲】
【請求項１】
紙葉類に光を照射する第１の照射手段と、前記紙葉類から反射された光を受光する受光手段と、前記受光手段に関して前記第１の照射手段と対向側に配され、前記第１の照射手段による紙葉類上の照射領域に光を照射する第２の照射手段とを備える画像読取装置において、前記第２の照射手段の光照射量を調節する調節手段を備えることを特徴とする画像読取装置。
【請求項２】
前記調節手段は、前記第２の照射部が光を照射するか否かを選択する選択手段から成ることを特徴とする請求項１記載の画像読取装置。
【請求項３】
前記第２の照射手段は、前記紙葉類に対する前記受光手段からの垂線に関して前記第１の照射手段と線対称となるように配設されていることを特徴とする請求項１又は２記載の画像読取装置。
【請求項４】
前記紙葉類の凹凸情報を画像情報として読み取るか否かの設定をする設定手段を更に備え、前記調節手段は前記設定に応じて前記第２の照射手段の光照射量を調節することを特徴とする請求項１乃至３のいずれか１項に記載の画像読取装置。
【請求項５】
前記紙葉類の凹凸情報を検出する検出手段を更に備え、前記調節手段は前記検出された凹凸情報に応じて前記第２の照射手段の光照射量を調節することを特徴とする請求項１乃至４のいずれか１項に記載の画像読取装置。
【請求項６】
前記第２の照射手段は、自ら発光する発光手段であることを特徴とする請求項１乃至５のいずれか１項に記載の画像読取装置。
【請求項７】
前記第２の照射手段は、前記第１の照射手段からの光を反射する反射手段であることを特徴とする請求項１乃至５のいずれか１項に記載の画像読取装置。
【請求項８】
前記反射手段は反射面と非反射面とから成り、回動することを特徴とする請求項７記載の画像読取装置。
【請求項９】
前記反射手段は、前記第１の照射手段が照射した光が到達しない範囲に選択的に配されることを特徴とする請求項７又は８記載の画像読取装置。
【請求項１０】
前記第１の照射手段から照射された光を遮蔽すべく前記第１の照射手段と前記反射手段との間に選択的に配される遮蔽手段を備えることを特徴とする請求項７乃至９のいずれか１項に記載の画像読取装置。
【請求項１１】
前記紙葉類は前記第２の照射手段から前記第１の照射手段に向かって搬送されることを特徴とする請求項１乃至１０のいずれか１項に記載の画像読取装置。
【請求項１２】
前記紙葉類は前記第１の照射手段から前記第２の照射手段に向かって搬送されることを特徴とする請求項１乃至１０のいずれか１項に記載の画像読取装置。
【発明の詳細な説明】
【技術分野】
【０００１】
本発明は、画像読取装置に関し、特に、紙葉類の画像読取装置に関する。
【背景技術】
【０００２】
従来、照射された原稿面上の画像情報をラインセンサー等の読取部で読み取るようにした画像読取装置は、原稿面を照射する蛍光灯等の光源（照射部）と、照射された原稿面からの反射光束を原稿面上の画像として読取部の面上に結像させるレンズ等の結像光学部と、読取部から出力した電気信号を画像処理する画像処理部とを備える。また、この画像読取装置は、原稿面又は画像読取部を副走査方向に移動させることにより、原稿面上の２次元的な画像情報を読み取る。
【０００３】
この画像読取装置は、図１３及び図１４に示すように、照射部１０１からの光を紙葉類９０で反射させ、レンズ１０３を介して受光部１００により受光し、受光した光を光電変換器１０２により電気信号に変換し、この電気信号をＡＤ変換器１０４を介してメモリ１０５に記録するので、照射部１０１を受光部１００から紙葉類９０に下ろした垂線方向とずれた方向に設置しなければならない。  
【０００４】
よって、図１５（ａ）及び図１５（ｂ）に示すように、紙葉類９０に折り目や皺ができてその面が平坦でなくなった場合、Ａ面に照射された光はＡ面で反射されてレンズ１０３を介して受光部１００まで到達して受光されるが（図１５（ａ））、紙葉類９０が搬送されてＢ面に光が照射されたときは（図１５（ｂ））、Ｂ面に照射された光の入射角はＡ面に照射された光（図１５（ａ））よりも大きくなるので、Ｂ面からの反射光は、受光部１００に到達する光量がＡ面からの反射光と比べて少なくなる。そのため、Ｂ面はＡ面と比べて暗いと判断されて画像に陰影が生じてしまっていた。
【０００５】
ここで、紙葉類９０に折り目や皺ができてその面が平坦でなくなった場合であっても、画像に陰影が生じないようにするために、図１６に示すように、受光部１００に関して互いに対向するように２つの照射部１０１ａ、１０１ｂを設けて、この２つの照射部１０１ａ、１０１ｂ各々から紙葉類９０に対して別角度で光を照射する方法が一般的に用いられている。
【０００６】
この方法によれば、照射部１０１ａからの光とは別角度で照射部１０１ｂからの光が紙葉類９０に照射されるので、紙葉類９０に折り目や皺等がある場合でも、画像に陰影が生じないようにすることができ、もって折り目や皺等を目立たせることなく画像を読み取ることができる。
【０００７】
一方、キャッシュカードやクレジットカード等の紙葉類９０に記録されたエンボス等の凹凸情報を画像として読み取りたい場合には、２つの照射部１０１ａ、１０１ｂ各々から紙葉類９０に対して別角度で光を照射する方法を採用せず、図１７（ａ）及び図１７（ｂ）に示すように、照射部１０１を受光部１００から紙葉類９０におろした垂線方向とずれた方向に一箇所にのみ設置する。これにより、Ａ面に照射された光はＡ面で反射されて受光部１００まで到達して受光されるが（図１７（ａ））、その後紙葉類９０が搬送されてＢ面に光が照射されたとき（図１７（ｂ））、Ｂ面に照射された光の入射角はＡ面に照射された光の入射角（図１７（ａ））よりも大きくなるので、Ｂ面からの反射光は、受光部１００に到達する光量がＡ面からの反射光と比べて少なくなり、Ａ面とＢ面との境５１において陰影を生じさせてエンボス等の凹凸情報を画像情報として読み取ることができる（例えば、特許文献１）。
【特許文献１】特開平０１−１５５４８７号公報
【発明の開示】
【発明が解決しようとする課題】
【０００８】
しかしながら、ユーザの希望や紙葉類の種類に応じて、折り目や皺等を目立たせることなく画像読取を行うことと、陰影を生じさせてエンボス等の凹凸情報を画像情報として読み取ることとを任意に選択することができないという問題があった。
【０００９】
本発明の目的は、折り目や皺等を目立たせることなく画像を読み取る設定、若しくはエンボス等の凹凸情報を画像情報として読み取る設定等の画像読取設定に応じて紙葉類面上の凹凸情報を画像情報として読み取るか否かを選択することができる画像読取装置を提供するものである。
【課題を解決するための手段】
【００１０】
上記目的を達成するために、請求項１記載の画像読取装置は、紙葉類に光を照射する第１の照射手段と、前記紙葉類から反射された光を受光する受光手段と、前記受光手段に関して前記第１の照射手段と対向側に配され、前記第１の照射手段による紙葉類上の照射領域に光を照射する第２の照射手段とを備える画像読取装置において、前記第２の照射手段の光照射量を調節する調節手段を備えることを特徴とする。
【００１１】
請求項２記載の画像読取装置は、請求項１記載の画像読取装置において、前記調節手段は、前記第２の照射部が光を照射するか否かを選択する選択手段から成ることを特徴とする。
【００１２】
請求項３記載の画像読取装置は、請求項１又は２記載の画像読取装置において、前記第２の照射手段は、前記紙葉類に対する前記受光手段からの垂線に関して前記第１の照射手段と線対称となるように配設されていることを特徴とする。
【００１３】
請求項４記載の画像読取装置は、請求項１乃至３のいずれか１項に記載の画像読取装置において、前記紙葉類の凹凸情報を画像情報として読み取るか否かの設定をする設定手段を更に備え、前記調節手段は前記設定に応じて前記第２の照射手段の光照射量を調節することを特徴とする。
【００１４】
請求項５記載の画像読取装置は、請求項１乃至４のいずれか１項に記載の画像読取装置において、前記紙葉類の凹凸情報を検出する検出手段を更に備え、前記調節手段は前記検出された凹凸情報に応じて前記第２の照射手段の光照射量を調節することを特徴とする。
【００１５】
請求項６記載の画像読取装置は、請求項１乃至５のいずれか１項に記載の画像読取装置において、前記第２の照射手段は、自ら発光する発光手段であることを特徴とする。
【００１６】
請求項７記載の画像読取装置は、請求項１乃至５のいずれか１項に記載の画像読取装置において、前記第２の照射手段は、前記第１の照射手段からの光を反射する反射手段であることを特徴とする。
【００１７】
請求項８記載の画像読取装置は、請求項７記載の画像読取装置において、前記反射手段は反射面と非反射面とから成り、回動することを特徴とする。
【００１８】
請求項９記載の画像読取装置は、請求項７又は８記載の画像読取装置において、前記反射手段は、前記第１の照射手段が照射した光が到達しない範囲に選択的に配されることを特徴とする。
【００１９】
請求項１０記載の画像読取装置は、請求項７乃至９のいずれか１項に記載の画像読取装置において、前記第１の照射手段から照射された光を遮蔽すべく前記第１の照射手段と前記反射手段との間に選択的に配される遮蔽手段を備えることを特徴とする。
【００２０】
請求項１１記載の画像読取装置は、請求項１乃至１０のいずれか１項に記載の画像読取装置において、前記紙葉類は前記第２の照射手段から前記第１の照射手段に向かって搬送されることを特徴とする。
【００２１】
請求項１２記載の画像読取装置は、請求項１乃至１０のいずれか１項に記載の画像読取装置において、前記紙葉類は前記第１の照射手段から前記第２の照射手段に向かって搬送されることを特徴とする。
【発明の効果】
【００２２】
請求項１記載の画像読取装置によれば、調節手段が第２の照射手段の光照射量を調節するので、紙葉類面上の凹凸情報を画像情報として読み取るか否かを選択することができる。
【００２３】
請求項２記載の画像読取装置によれば、調節手段は第２の照射部が光を照射するか否かを選択するので、紙葉類面上の凹凸情報を画像情報として読み取るか否かの選択を容易にすることができる。
【００２４】
請求項３記載の画像読取装置によれば、第２の照射手段が紙葉類に対する受光手段からの垂線に関して第１の照射手段と線対称となるように配設されているので、必要に応じて、紙葉類面上の折り目や皺等をより目立たなくして画像を読み取ることができる。
【００２５】
請求項４記載の画像読取装置によれば、調節手段が紙葉類の凹凸情報を画像情報として読み取るか否かの設定に応じて第２の照射手段の光照射量を調節するので、ユーザの希望に応じて画像を読み取ることができる。
【００２６】
請求項５記載の画像読取装置によれば、調節手段が検出された紙葉類の凹凸情報に応じて第２の照射手段の光照射量を調節するので、紙葉類の種類に応じて画像を読み取ることができる。
【００２７】
請求項６記載の画像読取装置によれば、第２の照射手段が自ら発光する発光手段であるので、光照射量の調節を容易に行うことができる。
【００２８】
請求項７記載の画像読取装置によれば、第２の照射手段が第１の照射手段からの光を反射する反射手段であるので、電力消費量を少なくすることができる。
【発明を実施するための最良の形態】
【００２９】
以下、本発明の第１の実施の形態に係る画像読取装置を図面を参照しながら説明する。
【００３０】
図１は、本発明の第１の実施の形態に係る画像読取装置の斜視図である。
【００３１】
図１において、スキャナ装置１（画像読取装置）は、紙葉類を載置するための載置部２と、紙葉類を搬送するための搬送路３と、排紙された紙葉類を載置するための排紙部４とを備える。
【００３２】
載置部２に載置された紙葉類は、分離ローラ（不図示）によって重送されずに搬送路３を通過して排紙され、この排紙された紙葉類は排紙部４に載置される。
【００３３】
図２は、図１のスキャナ装置１の概略内部構成を示す図である。
【００３４】
図２において、搬送路３には、紙葉類９０の到達を検出するレジストセンサ５と、紙葉類９０の搬送方向に対して垂直に配置され、紙葉類９０の画像を読み取る画像読取ユニット６とが設けられている。ここで、画像読取ユニット６は、紙葉類９０に光を照射する第１の照射部１０１ａと、紙葉類９０から反射された光を受光する受光部１００と、受光部１００に関して第１の照射部１０１ａと対向側に配され、第１の照射部１０１ａによる紙葉類９０上の照射領域に光を照射する第２の照射部１０１ｂと、紙葉類９０の面上の画像を結像するレンズ１０３とを備える。ここで、第２の照射部１０１ｂは、紙葉類９０に対する受光部１００からの垂線に関して第１の照射部１０１ａと線対称となるように配設されている。これにより、第１の照射部１０１ａと第２の照射部１０１ｂとは紙葉類９０からの距離が等しくなる。
【００３５】
図３は、図２における画像読取ユニット６のブロック図である。
【００３６】
図３において、受光部１００、第１の照射部１０１ａ、及び第２の照射部１０１ｂはＣＰＵ２００に接続され、さらに、このＣＰＵ２００は選択部２０３に接続されている。  
【００３７】
ここで、選択部２０３は、凹凸情報を画像情報として読み取るか否かの設定（設定手段）に応じて第２の照射部１０１ｂが光を照射するか否かを選択する（調節手段、選択手段）。また、ＣＰＵ２００は、紙葉類９０がレジストセンサ５を通過してから所定時間後に、「レジストセンサ５及び画像読取ユニット６間の距離」と「紙葉類９０の搬送速度」から「紙葉類９０が画像読取ユニット６に到達するまでの時間」を算出し、その算出された時間が経過した後に画像の読取を開始するように指示する。
【００３８】
ここで、予めユーザが選択部２０３において折り目や皺等を目立たせることなく画像を読み取る設定をしている場合は、図４（ａ）及び図４（ｂ）に示されるように、第１の照射部１０１ａと第２の照射部１０１ｂの両方から紙葉類９０に対して光を照射する。Ａ面の読取を行うとき（図４（ａ））、第１の照射部１０１ａから紙葉類９０に照射された光がＡ面を反射して受光部１００に到達する。その後、紙葉類９０が搬送されてＢ面の読取を行うとき（図４（ｂ））、第２の照射部１０１ｂから紙葉類９０に照射された光がＢ面を反射して受光部１００に到達する。
【００３９】
これにより、受光部１００に到達する光量が折り目５０（Ａ面とＢ面との境界）を境にして大きく変わることがなくなるので、折り目や皺等を目立たせることなく画像を読み取ることができる。
【００４０】
一方、予めユーザが選択部２０３においてエンボス等の凹凸情報を画像情報として読み取る設定をしている場合は、図５に示されるように、第１の照射部１０１ａは紙葉類９０に対して光を照射するが、第２の照射部１０１ｂは紙葉類９０に対して光を照射しない。このように第１の照射部１０１ａのみが光を照射すると、Ａ面の読取を行うとき（図５（ａ））、Ａ面に照射された光は反射されて受光部１００まで到達して受光されるが、その後、紙葉類９０が搬送されてＢ面の読取を行うとき（図５（ｂ））、Ｂ面に照射された光の入射角は、Ａ面に照射された光の入射角（図５（ａ））よりも大きくなるので、Ｂ面からの反射光は、受光部１００に到達する光量がＡ面からの反射光と比べて少なくなる。
【００４１】
これにより、受光部１００に到達する光量がＡ面とＢ面の境界５１を境にして大きく減少するので、エンボス等の凹凸情報を画像情報（陰影）として読み取ることができる。
【００４２】
本第１の実施の形態では、第１の照射部１０１ａを紙葉類９０の搬送方向の進行側としているが、これに限定されるものではなく、第１の照射部１０１ａが搬送方向の手前側であってもよい。
【００４３】
本第１の実施の形態では、画像読取装置としてのスキャナ装置１が画像読取を１ラインずつ行うが、これに限定されるものではなく、図６のように、受光部１００に関して対向するように第１の照射部１０１ａと第２の照射部１０１ｂを設けて２次元的に幅を持たせるようにして画像を読み取るようにしてもよい。
【００４４】
本第１の実施の形態では、予めユーザが選択部２０３において紙葉類９０におけるエンボス等の凹凸情報を画像情報として読み取る設定をしているとき、第２の照射部１０１ｂは完全に光を照射しないように、即ち完全に消灯したが、これに限定されるものではなく、第２の照射部１０１ｂの光量を調節するようにしてもよい（調節手段）。これにより、折り目や皺等を目立たせることなく、且つエンボス等の凹凸情報を画像情報として読み取ることができる。
【００４５】
本第１の実施の形態では、第２の照射部１０１ｂによって照射するか否かの設定を予めユーザが第２の照射部の選択部２０３を用いて行ったが、これに限定されるものではなく、例えば、搬送路３中に紙葉類９０に接触するような可動レバーを設けて、この可動レバーの移動量を基に紙葉類９０面上の凹凸情報を検出できるようにして（検出手段）、この得られた情報に応じて第２の照射部１０１ｂによって照射するか否かを制御してもよい。
【００４６】
次に、本発明の第２の実施の形態に係る画像読取装置を図面を参照しながら説明する。
【００４７】
本発明の第２の実施の形態に係る画像読取装置としてのスキャナ装置の構成は、上記第１の実施の形態と同じである（図１）。
【００４８】
図７は、本発明の第２の実施の形態に係る画像読取装置のスキャナ装置１の概略内部構成を示す図であり、図８は、図７における画像読取ユニット７のブロック図である。
【００４９】
図７及び図８に示す構成は、図２及び図３の構成と基本的に同じであり、同じ構成要素については同一の符号を付して重複した説明を省略し、以下に異なる点のみを説明する。即ち、画像読取ユニット７は、第１の照射部１０１ａによる紙葉類９０上の照射領域に第１の照射部１０１ａからの光を反射する反射部１１０を、第２の照射部１０１ｂに代えて備え、ＣＰＵ２００により画像読取開始の指示がなされたとき、第１の照射部１０１ａは紙葉類９０におけるＡ面と反射部１１０を照射する。
【００５０】
ここで、反射部１１０は、片面に配置された反射面１１０ａと、反射面１１０ａと反対側に配置された非反射面１１０ｂとから成り、画像読取設定に応じて、反射部１１０における反射面１１０ａ又は非反射面１１０ｂのいずれか一方を照射部１０１ａに向けるように回動する。
【００５１】
予めユーザが選択部２０３において折り目や皺等を目立たせることなく画像を読み取る設定をしている場合は、図９（ａ）及び図９（ｂ）に示されるように、反射部１１０は回動して、第１の照射部１０１ａからの光が反射面１１０ａで反射されて紙葉類９０を照射するように反射面１１０ａが第１の照射部１０１ａに向けられる。Ａ面の読取を行うとき（図９（ａ））、第１の照射部１０１ａから紙葉類９０に照射された光がＡ面を反射して受光部１００に到達する。その後、紙葉類９０が搬送されてＢ面の読取を行うとき（図９（ｂ））、第１の照射部１０１ａから反射部１１０に照射された光が反射面１１０ａで反射されてＢ面に照射され、このＢ面に照射された光はＢ面で反射されて受光部１００に到達する。
【００５２】
これにより、受光部１００に到達した光量が、折り目５０を境にして大きく変わることがなくなるので、折り目や皺等を目立たせることなく画像を読み取ることができる。
【００５３】
一方、選択部２０３においてエンボス等の凹凸情報を画像情報として読み取る設定がなされている場合は、図１０（ａ）及び図１０（ｂ）に示されるように、反射部１１０は回動して、非反射面１１０ｂが第１の照射部１０１ａに向けられる。
【００５４】
Ａ面の読取を行うとき（図１０（ａ））、Ａ面に照射された光はＡ面で反射されて受光部１００まで到達する。その後、紙葉類９０が搬送されてＢ面の読取を行うとき（図１０（ｂ））、第１の照射部１０１ａから反射部１１０に照射された光は非反射面１１０ｂで反射されてＢ面に照射されることはない。
【００５５】
これにより、Ａ面とＢ面の境界５１を境にして受光部１００に到達する光量が大きく減少するので、エンボス等の凹凸情報を画像情報（陰影）として読み取ることができる。
【００５６】
本第２の実施の形態では、画像読取設定に応じて、反射部１１０における反射面１１０ａ又は非反射面１１０ｂのいずれか一方を第１の照射部１０１ａに向けるように回動して紙葉類９０面上の凹凸情報を画像情報として読み取るか否かを選択するが、これに限定されるものではなく、図１１（ａ）及び図１１（ｂ）に示すように、反射部１１０が第１の照射部１０１ａからの光が到達しない範囲に選択的に配される、即ち、反射部１１０が第１の照射部１０１ａからの光が到達する範囲（図１１（ａ））と到達しない範囲（図１１（ｂ））とを自由に移動するようにしてもよい。ここで、図１１（ａ）は、選択部２０３において折り目や皺等を目立たせることなく画像を読み取る設定がなされている場合であり、図１１（ｂ）は、選択部２０３においてエンボス等の凹凸情報を画像情報として読み取る設定がなされている場合である。
【００５７】
また、図１２（ａ）及び図１２（ｂ）に示すように、第１の照射部１０１ａからの光を遮蔽すべく第１の照射部１０１ａと反射部１１０との間に選択的に配される遮蔽部１２０を設けてもよい。ここで、図１２（ａ）は、選択部２０３において折り目や皺等を目立たせることなく画像を読み取る設定がなされている場合であり、図１２（ｂ）は、選択部２０３においてエンボス等の凹凸情報を画像情報として読み取る設定がなされている場合である。
【００５８】
さらに、反射部１１０が画像読取設定に応じて電気的に反射面の反射率を変えるようなもの（調節手段）であってもよい。
【図面の簡単な説明】
【００５９】
【図１】本発明の第１の実施の形態に係る画像読取装置の斜視図である。
【図２】図１のスキャナ装置１の概略内部構成を示す図である。
【図３】図２における画像読取ユニット６のブロック図である。
【図４】図２における画像読取ユニット６の概略構成図であり、（ａ）はＡ面の読取を行う場合、（ｂ）はＢ面の読取を行う場合を夫々示す。
【図５】図２における画像読取ユニット６の概略構成図であり、（ａ）はＡ面の読取を行う場合、（ｂ）はＢ面の読取を行う場合を夫々示す。
【図６】図１のスキャナ装置１の変形例の斜視図である。
【図７】本発明の第２の実施の形態に係る画像読取装置のスキャナ装置１の概略内部構成を示す図である。
【図８】図７における画像読取ユニット７のブロック図である。
【図９】図７における画像読取ユニット７の概略構成図であり、（ａ）はＡ面の読取を行う場合、（ｂ）はＢ面の読取を行う場合を夫々示す。
【図１０】図７における画像読取ユニット７の概略構成図であり、（ａ）はＡ面の読取を行う場合、（ｂ）はＢ面の読取を行う場合を夫々示す。
【図１１】図７における画像読取ユニット７の概略構成図であり、（ａ）は、選択部２０３において折り目や皺等を目立たせることなく画像を読み取る設定がなされている場合、（ｂ）は、選択部２０３においてエンボス等の凹凸情報を画像情報として読み取る設定がなされている場合を夫々示す。
【図１２】図７における画像読取ユニット７の概略構成図であり、（ａ）は、選択部２０３において折り目や皺等を目立たせることなく画像を読み取る設定がなされている場合、（ｂ）は、選択部２０３においてエンボス等の凹凸情報を画像情報として読み取る設定がなされている場合を夫々示す。
【図１３】従来のスキャナ装置の内部の概略構成図である。
【図１４】従来のスキャナ装置における画像読取部の概略構成図である。
【図１５】従来のスキャナ装置における画像読取部の概略構成図であり、（ａ）はＡ面の読取を行う場合、（ｂ）はＢ面の読取を行う場合を夫々示す。
【図１６】従来のスキャナ装置における画像読取部の概略構成図である。
【図１７】従来のスキャナ装置における画像読取部の概略構成図であり、（ａ）はＡ面の読取を行う場合、（ｂ）はＢ面の読取を行う場合を夫々示す。
【符号の説明】
【００６０】
１  スキャナ装置
２  載置部
３  搬送路
４  排紙部
５  レジストセンサ
６  画像読取ユニット
７  画像読取ユニット
５０  折り目
５１  境界
９０  紙葉類
１００  受光部
１０１ａ  第１の照射部
１０１ｂ  第２の照射部
１１０  反射部
１１０ａ  反射面
１１０ｂ  非反射面
２０３  選択部
【図１】
2005078335.tif 000003
【図２】
2005078335.tif 000004
【図３】
2005078335.tif 000005
【図４】
2005078335.tif 000006
【図５】
2005078335.tif 000007
【図６】
2005078335.tif 000008
【図７】
2005078335.tif 000009
【図８】
2005078335.tif 000010
【図９】
2005078335.tif 000011
【図１０】
2005078335.tif 000012
【図１１】
2005078335.tif 000013
【図１２】
2005078335.tif 000014
【図１３】
2005078335.tif 000015
【図１４】
2005078335.tif 000016
【図１５】
2005078335.tif 000017
【図１６】
2005078335.tif 000018
【図１７】
2005078335.tif 000019